(57)【特許請求の範囲】
【請求項１】
アバットメントにアバットメントスクリューを挿入してフィクスチャーに螺着し、上記アバットメントスクリューの弛み止めをするためにロックスクリューをアバットメントスクリューに押え付ける人工歯冠を装着する歯科用インプラントであって、
上記ロックスクリューにねじを刻設した突起体をロックスクリューの中心より偏心させて頭部の下方側に突設し、上記アバットメントスクリューの頭部に設けた凹み部の内側にねじを刻設して上記突起体のねじを螺入可能とし、
上記ロックスクリューの頭部に突設した突起体を上記アバットメントスクリューの頭部の凹み部に刻設したねじに螺入して偏心させたロックスクリューの頭部をアバットメントの内壁面に楔状に係止してアバットメントスクリューの弛み止めをするようにしたことを特徴とする歯科用インプラント。
【請求項２】
ロックスクリューの頭部に突設した突起体を下方側へいくにしたがって漸次細くし、アバットメントスクリューの頭部に螺入して固定するようにしたことを特徴とする請求項１記載の歯科用インプラント。
【請求項３】
ロックスクリューの突起体に刻設したねじを、アバットメントスクリューのフィクスチャーに螺着するねじとは反対方向のねじとして螺合するようにしたことを特徴とする請求項１または２に記載の歯科用インプラント。
【請求項４】
アバットメントスクリューを逆旋回可能に、アバットメントスクリューにその軸方向に上端部から下端部にわたって旋回用孔または旋回用溝を設けたことを特徴とする請求項１ないし３のいずれかに記載の歯科用インプラント。
【発明の詳細な説明】
【技術分野】
【０００１】
本発明は、歯科分野における歯科用インプラントに関するものである。
【背景技術】
【０００２】
近年、欠損歯の代わりに人口歯根であるインプラントの治療が行われている。
【０００３】
歯科用インプラントは、顎の歯槽骨に人口歯根のフィクスチャーを埋設し、このフィクスチャーに支台部であるアバットメントをねじ止めし、アバットメントに歯冠を装着するものである。
【０００４】
しかし、アバットメントをフィクスチャーにねじ止めするので、不測のねじの弛みが生じてトラブルが生起するものであった。
【０００５】
そのため、特開２００３−３２５５５２号公報のようにアバットメントにロック溝を設けるとともに、ロックスクリューにロック溝を設け、ロックスリーブをこれらのロック溝とロック溝に挿入してねじの弛みを防止することが提案されている。
【０００６】
また、特開２０１１−１０４２２２号公報には、歯科インプラントにおいて、フィクスチャーの先端の内部空洞のねじとフィクスチャーの外面のねじの方向を反対として外力によって弛みを防止することが提案されている。
【先行技術文献】
【特許文献】
【０００７】
【特許文献１】特開２００３−３２５５５２号公報
【特許文献２】特開２０１１−１０４２２２号公報
【特許文献３】特開２０１５−１９８９３号公報
【発明の開示】
【発明が解決しようとする課題】
【０００８】
しかし、前記公報にあっては、構造が複雑で、特にインプラント用としては２ｍｍ径以下のものなので、製造が難しく、施術も簡単でない。
また、後記公報にあっては、１つのフィクスチャーの先端に空洞、内部に固定空洞、さらに外周部に多様なねじを螺刻しなければならなく、製造が極めて難しく、かつ施術も簡単でなくて、ねじの弛み止めの調整が容易でない。
【０００９】
そのため、構造が簡単で、製造しやすく、施術やねじの弛み止めの調整も容易なインプラントについて、本願の出願人は上記特開２０１５−１９８９３号公報のような歯科用インプラントを開発したが、さらに施術やねじの弛み止めの調整も容易なインプラントについて開発することが課題であった。
【課題を解決するための手段】
【００１０】
本発明は、上記のような点に鑑みたもので、上記の課題を解決するために、アバットメントにアバットメントスクリューを挿入してフィクスチャーに螺着し、上記アバットメントスクリューの弛み止めをするためにロックスクリューをアバットメントスクリューに押え付ける人工歯冠を装着する歯科用インプラントであって、上記ロックスクリューにねじを刻設した突起体をロックスクリューの中心より偏心させて頭部の下方側に突設し、上記アバットメントスクリューの頭部に設けた凹み部の内側にねじを刻設して上記突起体のねじを螺入可能とし、上記ロックスクリューの頭部に突設した突起体を上記アバットメントスクリューの頭部の凹み部に刻設したねじに螺入して偏心させたロックスクリューの頭部をアバットメントの内壁面に楔状に係止してアバットメントスクリューの弛み止めをするようにしたことを特徴とする歯科用インプラントを提供するにある。
【００１１】
また、ロックスクリューの頭部に突設した突起体を下方側へいくにしたがって漸次細くし、アバットメントスクリューの頭部に螺入して固定するようにしたことを特徴とする歯科用インプラントを提供するにある。
【００１２】
さらに、ロックスクリューの突起体に刻設したねじを、アバットメントスクリューのフィクスチャーに螺着するねじとは反対方向のねじとして螺合するようにしたことを特徴とする歯科用インプラントを提供するにある。
【００１３】
さらにまた、アバットメントスクリューを逆旋回可能に、アバットメントスクリューにその軸方向に上端部から下端部にわたって旋回用孔または旋回用溝を設けたことを特徴とする歯科用インプラントを提供するにある。
【発明の効果】
【００１４】
本発明にあっては、特許請求の範囲の請求項１のように、アバットメントにアバットメントスクリューを挿入してフィクスチャーに螺着し、上記アバットメントスクリューの弛み止めをするためにロックスクリューをアバットメントスクリューに押え付ける人工歯冠を装着する歯科用インプラントであって、上記ロックスクリューにねじを刻設した突起体をロックスクリューの中心より偏心させて頭部の下方側に突設し、上記アバットメントスクリューの頭部に設けた凹み部の内側にねじを刻設して上記突起体のねじを螺入可能とし、上記ロックスクリューの頭部に突設した突起体を上記アバットメントスクリューの頭部の凹み部に刻設したねじに螺入して偏心させたロックスクリューの頭部をアバットメントの内壁面に楔状に係止してアバットメントスクリューの弛み止めをするようにしたことによって、ロックスクリューの突起体をアバットメントスクリューの頭部に螺入して、ロックスクリューがアバットメントスクリューの頭部に偏心状態で螺着させ、ロックスクリューの頭部がアバットメントの内壁面に楔状に係止して楔効果によってアバットメントスクリューが弛むのを強固に防止することができる。
そのため、ロックスクリューの頭部には締め付け用のねじを設けなくてもよいので、ロックスクリューの頭部を短くでき、したがってアバットメントも短くでき、さらにはアバットメントスクリューも短くすることができ、全体として小型化するようにできる。
【００１５】
また、請求項２のように、ロックスクリューの頭部に突設した突起体を下方側へいくにしたがって漸次細くし、アバットメントスクリューの頭部に螺入して固定するようにしたことによって、ロックスクリューの突設した突起体を円滑にアバットメントスクリューの頭部に螺入できて、上記したようにロックスクリューがアバットメントスクリューの頭部に偏心状態で螺着して、楔効果によってアバットメントスクリューが弛むのを有効に防止することができる。
【００１６】
さらに、請求項３のように、ロックスクリューの突起体に刻設したねじを、アバットメントスクリューのフィクスチャーに螺着するねじとは反対方向のねじとして螺合するようにしたことによって、アバットメントスクリューとロックスクリューの螺着するねじ方向とを反対方向として、アバットメントスクリューを弛まないようにできる。
【００１７】
さらにまた、請求項４のように、アバットメントスクリューを逆旋回可能に、アバットメントスクリューにその軸方向に上端部から下端部にわたって旋回用孔または旋回用溝を設けたことによって、万一、アバットメントスクリューが折損しても、歯冠部を剥して折損したアバットメントスクリューの頭部側を抜き取り、アバットメントスクリューの旋回用孔または旋回用溝に細棒状等の旋回用治具を挿入して逆旋回すると、折損して残存しているアバットメントスクリューを容易に取り出すことができる。
【図面の簡単な説明】
【００１８】
【図１】本発明の一実施例のインプラントの側断面図、
【図２】同上のアバットメントスクリューの側面図（ａ）と平面図（ｂ）、
【図３】同上のロックスクリューの側面図（ａ）と底面図（ｂ）、
【図４】同上のアバットメントスクリュー頭部のロックスクリュー突起体の係合状態説明図（ａ）とロック状態説明図（ｂ）、
【図５】同上の他の実施例のインプラントの側断面図、
【図６】同上のさらに他の実施例のアバットメントスクリューの側面図（ａ）と平面図（ｂ）、
【図７】同上のアバットメントスクリューの折損部の取り出し説明用側断面図。
【発明を実施するための形態】
【００１９】
本発明の歯科用インプラントは、アバットメントにアバットメントスクリューを挿入してフィクスチャーに螺着し、上記アバットメントスクリューの弛み止めをするためにロックスクリューをアバットメントスクリューに押え付ける人工歯冠を装着する歯科用インプラントであって、上記ロックスクリューにねじを刻設した突起体をロックスクリューの中心より偏心させて頭部の下方側に突設し、上記アバットメントスクリューの頭部に設けた凹み部の内側にねじを刻設して上記突起体のねじを螺入可能とし、上記ロックスクリューの頭部に突設した突起体を上記アバットメントスクリューの頭部の凹み部に刻設したねじに螺入して偏心させたロックスクリューの頭部をアバットメントの内壁面に楔状に係止してアバットメントスクリューの弛み止めをするようにしたことを特徴としている。
【００２０】
インプラント１は、セラミックスやチタン等で形成され、図１のように顎の歯槽骨に形成した植立孔に挿入するフィクスチャー２に人口歯冠を装着するアバットメント３を固着するねじ孔４を設け、アバットメント３にアバットメントスクリュー５を挿入する挿入孔６を開孔し、アバットメントスクリュー５を挿入してフィクスチャー２にアバットメント３を固着するようにしている。７はその嵌入部である。
【００２１】
上記アバットメントスクリュー５は、図１、図２（ａ）、（ｂ）のようにその頭部８に六角穴等の凹み穴９を設けてその凹み穴９に所定ピッチのねじ１０を刻設し、ロックスクリュー１１を螺着できるようにしている。
【００２２】
ロックスクリュー１１は、図１、図３（ａ）、（ｂ）のように六角頭等の頭部１２に所定ピッチのねじ１３を刻設した切頭角錐柱状の突起体１４を突設しているとともに、この突起体１４をロックスクリュー１１の中心よりやや偏心させていて、図１、図４（ａ）、（ｂ）のように上記アバットメントスクリュー５の頭部の凹み穴９のねじ１０に偏心状態で螺着する（底面に着かずに）ようにし、ロックスクリュー１１の偏心による螺着でロックスクリュー１１の上部の頭部１２がアバットメント３の挿入孔６の内壁面に楔状に係止して楔効果によって強固に固着できるようにしている。
【００２３】
上記フィクスチャー２のねじ孔４は、たとえば右ねじとして、アバットメントスクリュー５も右ねじとして螺着するようにし、アバットメント３のロックスクリュー１１を螺着するねじ１０は上記ねじ方向とは反対方向の左ねじとして、ロックスクリュー１１も左ねじとして螺着するようにし、アバットメントスクリュー５が弛まないようにしている。なお、これらのねじ孔およびねじは互いに反対方向にでき、これらは互いに反対方向のものであればよい。
【００２４】
そしてまた、図１、図２（ａ）、（ｂ）、図３（ａ）、（ｂ）のようにロックスクリュー１１、そのねじ孔１３のピッチを、アバットメントスクリュー５、そのねじ孔４のねじのピッチの２分の１等の細かいピッチとして相違したものとし、ねじのピッチの相違と、上記した反対方向のねじとによって、アバットメントスクリュー５をより弛まないようにしている。
【００２５】
また、上記ロックスクリュー１１は、図３（ａ）、（ｂ）のように突起体１４を下方へいくにしたがって漸次細くし、漸次細くした突起体１４が六角穴等の凹み穴９に円滑に挿入できて、ねじ間の許容量等を偏心してロックスクリュー１１の頭部１２がアバッチメント３の挿入孔６の内壁面に傾いて当接するようにし、その内壁面とで楔効果を生じて強固なロック状態となってアバットメントスクリュー５が弛まないようにしている。
【００２６】
上記ロックスクリュー１１のねじとねじ孔の係合許容量は、たとえばねじ径が２ｍｍ位なら０．０２〜０．１０ｍｍ位あり、ロックスクリュー１１の突起体１４はアバットメント３の凹み穴９に０．０２〜０．１０ｍｍ位の所定量の偏心によって上記のように楔効果を生じるようにできる。そのため、ロックスクリュー１１の頭部１２の大きさは、このような楔効果を生じさせるようにアバットメント３の挿入孔６の内径に対応させるもので、０．０１〜０．０５ｍｍ位の間隙を設ける外径とすることが好ましい。
【００２７】
上記のようにロックスクリュー１１の頭部１２には締め付け用のねじを設けなくてもよいので、図５のようにロックスクリュー１１の頭部１２を短くでき、したがってアバットメント３も短くでき、さらにはアバットメントスクリュー５も短くすることができ、全体として小型化することができる。
【００２８】
またさらに、上記アバットメントスクリュー５には、図６（ａ）、（ｂ）のようにその中心部にアバットメントスクリュー５を逆旋回可能に軸方向にそって細孔状の旋回用孔１５を上端部から下端部にわたって貫通状態に開口し、万一、アバットメントスクリュー５が折損しても、歯冠部を剥してロックスクリュー１１を取り除いて折損したアバットメントスクリュー５の頭部側を抜き取り、図７のようにアバットメントスクリュー５の旋回用孔１５に細棒状の旋回用治具１６を挿入して逆旋回し、折損して残存しているアバットメントスクリュー５を容易に取り出せるようにしている。
【００２９】
上記旋回用孔１５は、断面が四角形状や六角形状等の多角形状として、上端部から下端部にわたって貫通状態とすることが、製造面や使用面の実用面から好ましい。必要により、旋回用孔１４は上端部から所要の下端部までの開孔とすることもできる。
【００３０】
なお、アバットメントスクリュー５の両側部にスリット状の凹溝の旋回用溝をそれぞれその上端部から下端部にわたって凹設することもでき、アバットメントスクリュー５の旋回用溝に下端部が角状に尖鋭部等となった細棒状等の旋回用治具を挿入して逆旋回し、折損して残存しているアバットメントスクリュー５を容易に取り出すようにもできる。
【００３１】
上記では１ロックスクリュー１１の突起体１４を切頭円錐柱状としたが、六角錐柱状や楕円錐柱状等の適宜量偏心させて楔効果を生じる形態とすることができ、またアバットメントスクリュー５の頭部８の凹み穴９は三角穴や四角穴等として対応することもできなど、上記した本発明の趣旨にもとづいて適宜な変形態様を実施することができるものである。
【実施例】
【００３２】
図１以下は、本発明の実施例を示すものである。インプラント１は、図１のように顎の歯槽骨に形成した植立孔に挿入するフィクスチャー２に人口歯冠を装着するアバットメント３を、アバットメントスクリュー５を挿入してレンチ等を介してフィクスチャー２に固着するようにしている。そして、図１、図２（ａ）、（ｂ）のようにアバットメントスクリュー５の六角頭の頭部８に六角穴の凹み穴９を設け、その凹み穴９に所定ピッチのねじ１０を刻設して、ロックスクリュー１１を螺着するようにしている。
【００３３】
ロックス３リュー１１は、図１、図３（ａ）、（ｂ）のように六角頭の頭部１２に所定ピッチのねじ１３を刻設した切頭角錐柱状の突起体１４を突設し、この突起体１４をロックスクリュー１１の中心よりやや偏心させていて、上記アバットメントスクリュー５の頭部の凹み穴９のねじ１０に偏心状態で螺着するようにしている。
【００３４】
また、上記ロックスクリュー１１は、図３（ａ）、（ｂ）のように突起体１４を下方へいくにしたがって漸次細くし、漸次細くした突起体１４が六角穴の凹み穴９に円滑に挿入して、ねじ間の許容量だけ偏心して突起体１４の六角穴の凹み穴９に偏心状態として、ロックスクリュー１１の所要の大きさとした頭部１２をアバッチメント３の挿入孔６の内壁面に傾いて当接するようにし、その内壁面とで楔効果を生じて強固なロック状態となるようにしている。
【００３５】
したがって、ロックスクリュー１１の突起体１４をアバットメントスクリュー５の頭部８に螺入すると、ロックスクリュー１１がアバットメントスクリュー５の頭部８の凹み穴９に偏心状態で螺着し、ロックスクリュー１１の頭部１２がアバットメント３の内壁面に楔状に係止して、楔効果によってアバットメントスクリュー５が弛むのを強固に防止することができる。
【００３６】
上記フィクスチャー２のねじ孔４、アバットメントスクリュー５を右ねじとし、アバットメントスクリュー５の頭部８のねじ孔１０、ロックスクリュー７のねじ１３を上記ねじ方向とは反対方向の左ねじとして、これらのねじが逆ねじ状態で、アバットメントスクリュー５を弛むのを有効に防止することができる。
【００３７】
また、ロックスクリュー７のねじ１３、ねじ孔１０のピッチを、アバットメントスクリュー５、そのねじ孔４のピッチの２分の１の細かいピッチとして相違したものとし、これらのねじのピッチの相違と、上記したように反対方向のねじとすることによって、アバットメントスクリュー５をより一層弛まないようにできる。
【００３８】
図５本発明の他の実施例を示すもので、ロックスクリュー１１の頭部１２を短くし、アバットメント３も短くし、さらにはアバットメントスクリュー５も短くしたもので、全体として小型化したものである。上記のようにロックスクリュー１１の頭部１２には締め付け用のねじを設けなくてもよいので、ロックスクリュー１１の頭部１２、アバットメント３、さらにはアバットメントスクリュー５も短くすることができ、全体として小型化することができる。
【００３９】
図６（ａ）、（ｂ）、図７は、本発明の他の実施例を示すもので、アバットメントスクリュー５にはその中心部にアバットメントスクリュー５を逆旋回可能に軸方向にそって細孔状の旋回用孔１５を上端部から下端部にわたって貫通状態に開口し、アバットメントスクリュー５の旋回用孔１５に細棒状の旋回用治具１６を挿入して、逆旋回できるようにしている。
【００４０】
そのため、万一、アバットメントスクリュー５が折損しても、歯冠部を剥してロックスクリュー１１を取り除き、折損したアバットメントスクリュー５の頭部８側を抜き取り、アバットメントスクリュー５の旋回用孔１５に細棒状の断面四角形状の旋回用治具１６を挿入して逆旋回し、折損して残存しているアバットメントスクリュー５を容易に取り出すことができる。
【００４１】
上記では、本発明の本質的な実施例について説明したが、たとえばロックスクリュー１１の突起体１４を六角錐柱状や楕円錐柱状等の適宜な形態とするなど、上記した本発明の趣旨にもとづいて適宜な変形態様を実施することができる。
【産業上の利用可能性】
【００４２】
本発明は、歯科分野における顎の歯槽骨に形成した植立孔に挿入するフィクスチャーに人口歯冠を装着するアバットメントを固着する歯科用インプラントに利用することかできる。
【符号の説明】
【００４３】
１…インプラント        ２…フィクスチャー        ３…アバットメント
５…アバットメントスクリュー  ８…頭部  １０…凹み穴  １１…ロックスクリュー
１２…頭部    １３…ねじ      １４…突起体
【図１】
0006475904.tif 000002
【図２】
0006475904.tif 000003
【図３】
0006475904.tif 000004
【図４】
0006475904.tif 000005
【図５】
0006475904.tif 000006
【図６】
0006475904.tif 000007
【図７】
0006475904.tif 000008